(57)【要約】【課題】ストラップにより安定した保持と操作ができる電子機器を提供する。【解決手段】電子機器１は、電子機器本体１０と電子機器本体１０の裏面１３に取り付けられるストラップ２０とを備える。電子機器本体１０の裏面１３には、電子機器本体１０の厚み方向に突出し長手方向に沿って延びるように形成されている突出部３０を備え、ストラップ２０は、突出部３０上の位置であって電子機器本体１０の重心近傍に取り付けられている。ストラップ２０は、取り付けられる位置に置いて閉じられた二つ折り形状をなし、電子機器本体１０の長手方向かつ裏面に略直角な方向に画定される閉じた開口面２１を有し、当該開口面２１は、操作者の複数の指が挿入可能な面積を有している。開口面２１に指を挿入しながら荷物１００を運ぶことができ、指を中心に電子機器１を回転させバーコードリーダ４０でバーコード１１０を読み取ることが可能である。【選択図】図１
2019144998.tif 000002
【特許請求の範囲】
【請求項１】
厚み方向に突出した突出部を裏面に備える電子機器本体と、
前記突出部上の位置であって、当該電子機器本体の重心の近傍位置に取り付けられた帯形状のストラップと、
を備え、
前記突出部は前記電子機器本体の長手方向に沿って延びるように前記裏面に形成され、
前記ストラップは、前記電子機器本体の長手方向かつ前記裏面に略直角な方向に画定される閉じた開口面を有し、
当該開口面は、操作者の複数の指が挿入可能な面積を有する、
電子機器。
【請求項２】
請求項１に記載の電子機器であって、
二つ折りにした前記ストラップは略６〜１０ｃｍの長さを有する、
電子機器。
【請求項３】
請求項１または２に記載の電子機器であって、
前記電子機器本体がバーコードリーダを有し、
前記突出部上であって、前記ストラップの取付位置と前記バーコードリーダとの間の位置において、当該突出部の両側面および上面をまたがるように配置された前記バーコードリーダのスイッチを備える、電子機器。
【請求項４】
請求項３に記載の電子機器であって、
前記突出部には前記電子機器本体の側にへこんだ窪みが設けられ、
前記スイッチが当該窪みに設けられる、
電子機器。
【請求項５】
電子機器本体と、
前記電子機器本体の裏面であって、当該電子機器本体の重心の近傍位置に取り付けられた帯形状のストラップと、
を備え、
前記ストラップは、前記電子機器本体の長手方向かつ前記裏面に略直角な方向に画定される閉じた開口面を有し、
当該開口面は、操作者の複数の指が挿入可能な面積を有し、
二つ折りにした前記ストラップは略８〜１２ｃｍの長さを有する、
電子機器。
【発明の詳細な説明】
【技術分野】
【０００１】
本開示は、ストラップを備える電子機器に関する。
【背景技術】
【０００２】
物流業界では、集配所や配送者自身がバーコード機能を有した端末で、荷物の管理等を行うことが知られている（特許文献１、２参照）。
【０００３】
特許文献１及び２は、ハンディターミナルの全長を短くして更なる小型化を図りつつも、厚型化を回避可能なバーコードや二次元コードなどのシンボルを読み取る光学読取装置であり、円筒形二次電池セルを把持部分に内蔵することでこの部分の厚みが増しても、持ちやすさの低下を防ぐことができることが開示されている。
【先行技術文献】
【特許文献】
【０００４】
【特許文献１】特開２０１５−１７２９８３号公報
【特許文献２】特開２０１５−１７２９８４号公報
【発明の概要】
【発明が解決しようとする課題】
【０００５】
しかしながら、特許文献１、２の光学読取装置で荷物を運搬しながらバーコードによる読み込み作業を行う場合、当該光学読取装置を、作業台の上や配送者が身に着けているホルスター内に、その度に置いたり、収納したりしなければならず、作業効率が上がらないという課題がある。
【０００６】
本開示は、ストラップにより安定した保持と操作ができる電子機器を提供することを目的とする。
【課題を解決するための手段】
【０００７】
本開示の電子機器は、厚み方向に突出した突出部を裏面に備える電子機器本体と、前記突出部上の位置であって、当該電子機器本体の重心の近傍位置に取り付けられた帯形状のストラップと、を備え、前記突出部は前記電子機器本体の長手方向に沿って延びるように前記裏面に形成され、前記ストラップは、前記電子機器本体の長手方向かつ前記裏面に略直角な方向に画定される閉じた開口面を有し、当該開口面は、操作者の複数の指が挿入可能な面積を有する。
【発明の効果】
【０００８】
本開示によれば、ストラップの開口面内に親指以外の複数の指が挿入可能な空間が画定されているため、指と手の平とにより電子機器との把持が可能となると共に手の中で安定し、親指で表示部の操作を容易に行うことが可能となる。また、突出部は、電子機器本体の長手方向に沿って延びるように裏面に形成されているため、操作者が手のひら上で電子機器を保持した際、指先を突出部に引っ掛けることで、親指を自由に動かしやすくなり、電子機器が大型化しても片手で表示部を操作しやすくなる。そして、ストラップは、電子機器本体の重心近傍に取り付けられているため、ストラップに指を入れながら荷物を運んでも電子機器が安定すると共に取付位置を回転中心として電子機器が回しやすくなる。特に、開口面が裏面に略直角な方向に形成されていることで、指を幅方向から入れて電子機器を回すことができ、電子機器の長手方向を上下として回すことで遠心力が簡単に生まれ、回転操作が容易となる。
【図面の簡単な説明】
【０００９】
【図１】本開示の電子機器の一例を示し、（ａ）正面斜視図、（ｂ）背面斜視図。
【図２】操作者が本開示の電子機器を持ちながら荷物を運ぶ状態を示す模式図。
【図３】操作者が荷物を置いて、バーコードを読むために、本開示のストラップを利用して電子機器を回転させ始めていることを示す模式図。
【図４】図３に続き本開示の電子機器をより回転させた状態を示す模式図。
【図５】操作者が本開示の電子機器でバーコード読む動作を示す模式図。
【発明を実施するための形態】
【００１０】
以下、適宜図面を参照しながら、本開示に係る電子機器を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１１】
以下、本開示を実施するための好適な本実施形態について、図面を参照して詳細に説明する。
【００１２】
図１は、本開示の電子機器の一例を示し、（ａ）は正面斜視図、（ｂ）背面斜視図である。図１に基づいて本開示の電子機器を詳述する。
【００１３】
電子機器１は、個人用、業務用を含み、例えばスマートフォン等の携帯電話、タブレット等の携帯端末、デジタルカメラ、携帯型パーソナルコンピュータ、無線機等、であり、電子機器本体１０と、電子機器本体１０に取り付けられ皮や布からなる帯状で変形可能なストラップ２０とを備える。本実施形態の電子機器１では、耐衝撃、耐振動、防滴、防塵等を備え工場、工事、公共安全、輸送業者等の商業上の現場で使用され、一般的な携帯電話に比べ重量がある移動通信型の携帯端末機器を一例としている。
【００１４】
電子機器本体１０は、主として樹脂からなり略直方体の筐体１１と、筐体１１の正面側には、液晶パネルや有機ＥＬパネル等のディスプレイからなる表示部１２が配置され、筐体１１の裏面１３には図示しない電池が収納されている。また、表示部１２は、平面視で略四角形であるタッチパネルを有し、アイコン、画像、情報データ等を表示し、操作が可能なＵＩ（ユーザーインターフェース）型の表示機能を備えている。また、正面側には、操作部、スピーカー、カメラなどが配置され、側面にはサイドスイッチやコネクタなどが配置されている。
【００１５】
電子機器本体１０の裏面１３には、電子機器本体１０の厚み方向に突出し長手方向に沿って延びるように形成されている突出部３０を備え、ストラップ２０は、突出部３０上の位置であって電子機器本体１０の重心近傍に取り付けられている。ストラップ２０は、取り付けられる位置に置いて閉じられた二つ折り形状をなし、電子機器本体１０の長手方向かつ裏面１３に略直角な方向に画定される閉じた開口面２１を画定し、当該開口面２１は、操作者の複数の指が挿入可能な面積を有している。
【００１６】
また、電子機器本体１０の裏面１３にはバーコードリーダ４０が設けられ、さらに突出部３０上であって、ストラップ２０の取付位置とバーコードリーダ４０との間の位置において、当該突出部３０の両側面および上面をまたがるように配置されたバーコードリーダ４０のスイッチ４１が設けられている。そして、突出部３０には、電子機器本体１０の側にへこんだ窪み５０が設けられ、スイッチ４１が当該窪み５０に設けられている。
【００１７】
電子機器１を片手で操作する場合、一般的に手の平を電子機器本体１０の裏面１３に当て、親指以外の指先で電子機器本体１０の筐体１１側面を押さえ、親指の表面で表示部１２に接触させながら画面をスクロール、タップ等を行う。しかしながら、最近の電子機器１は大型化しており、また、産業等に利用される電子機器１は大型でやや重量もあり、従来の手による保持では不安定で有り、親指の先端を表示部１２全体に行き届かせることが困難である。
【００１８】
本開示の電子機器１は、ストラップ２０が取り付けられており、裏面１３において、ストラップ２０の開口面２１内に親指以外の複数の指が挿入可能な空間が画定されているため、指と手のひらとにより電子機器１との把持が可能となると共に手の中で安定し、親指で表示部１２の操作を容易に行うことが可能となる。
【００１９】
また、突出部３０は、電子機器本体１０の長手方向に沿って延びるように裏面１３に形成されているため、操作者が手のひら上で電子機器１を保持した際、指先を突出部３０に引っ掛けることで、親指を自由に動かしやすくなり、電子機器１が大型化しても片手でタッチパネルなどの表示部１２を操作しやすくなる。
【００２０】
ストラップ２０は、電子機器本体１０の重心近傍に取り付けられているため、ストラップ２０に指を入れながら荷物１００を運んでも電子機器１が安定している。即ち、荷物１００を運ぶ場合には、ストラップ２０の開口面２１内に複数の指を通した状態で、電子機器１を手から離すと、電子機器１が指からストラップ２０を通じてぶら下がる状態となり、手のひらや指が空いた状態となるため、電子機器１を手放すことなく、荷物１００を運搬することができる。そして、ストラップ２０が電子機器１の重心を含む重心近傍に取り付けられているため、ぶら下げた状態で作業をしても、電子機器１は安定した姿勢を維持することができ、作業中、不用意に電子機器１を作業台等にぶつけることを防ぐことが可能となる。
【００２１】
図２から図５は、操作者（作業者）が電子機器１を持ちながら荷物１００を運び、バーコード１１０を読む動作を説明した模式図である。図２から図５を用いて、電子機器１の使用例の一例を説明する。尚、図２から図５において、操作者の手を２００、指を２１０として示すが、説明上は省略する。
【００２２】
図２は、操作者が電子機器１を持ちながら荷物１００を運ぶ状態を示している。操作者の複数の指がストラップ２０の開口面２１内に挿入され、電子機器１をぶら下げながら手のひらや他の指で荷物１００を運ぶことができる。荷物１００を運ぶ間、ストラップ２０が電子機器１の重心近傍に取り付けられているため、電子機器１が安定して所定の位置を維持し、電子機器１により大きく揺さぶられることもない。
【００２３】
図３は、操作者が荷物１００を置いて、荷物１００に貼付されたバーコード１１０を読むために、ストラップ２０を利用して電子機器１を回転させ始めていることを示している。ストラップ２０の開口面２１から人差し指や中指を挿入して、挿入した指の表側とストラップ２０の内面とを当接させ、当接部分を中心に電子機器１を回転させる（回転方向は図中矢印方向参照）。
【００２４】
電子機器１の重心を含む重心の近傍にストラップ２０が取り付けられているため、ここを回転中心とすることで遠心力がつき電子機器１が回しやすくなる。また、開口面２１が裏面１３に略直角な方向に形成されていることで、指を幅方向から入れて電子機器１を回すことができる。その際、電子機器１の長手方向を上下として回すことで遠心力が簡単に生まれ、回転操作が容易となる。
【００２５】
ストラップ２０は、指によって安定的に回せるような幅を持つ帯形状であることが望ましい。また、ストラップ２０は、本実施形態のように両端が突出部３０の一箇所に取り付けられている必要はなく、当該両端が多少離れて取り付けられていても良い。
【００２６】
図４は、電子機器１をより回転させた状態を示す。電子機器１をさらに回転させ、電子機器本体１０の裏面１３が手のひらに向かって回転している。
【００２７】
図５は、バーコード１１０を読み取る動作を示している。回転してきた電子機器１の裏面１３を手のひらの上で保持して、荷物１００のバーコード１１０をバーコードリーダ４０で読み取る。バーコードリーダ４０のスイッチ４１は、突出部３０の両側面および上面をまたがるように配置されているため人差し指などで容易に押すことが可能である。また、スイッチ４１は、突出部３０の電子機器本体１０の側にへこんだ窪み５０が設けられているため、操作者の利き手が左右どちらの場合でも対応可能である。そして、スイッチ４１を２つ設けることなく、一つのスイッチ４１で左右どちらの指でもＯＮ／ＯＦＦできることを可能としている。
【００２８】
バーコードリーダ４０をバーコード１１０に向けてスイッチ４１をＯＮさせると、バーコードリーダ４０に近接しているフォトライトが点灯して、バーコード１１０を正確に読み取ることができる。
【００２９】
本開示の電子機器１の操作者が別の荷物を運んで再びバーコード１１０を読み込む場合には、ストラップ２０内に通した指を軸に、電子機器１を回転させて、手のひら上に電子機器１を戻すことで、再びバーコード１１０読み込みの作業を開始することができる。本開示の電子機器１により、電子機器１を指で保持しながら荷物１００を運ぶことが可能となり、電子機器１を指で回転させて荷物１００に貼付されたバーコード１１０を読むことができるため作業効率の低下を防止できる。
【００３０】
ストラップ２０の開口面２１は、少なくとも４本以上の指を一直線上に並べても入るだけの大きさであることが望ましい。また、二つ折りにしたストラップ２０は略６〜１０ｃｍの長さを有することが望ましい。
【００３１】
６ｃｍ以上であれば、遠心力が強くなるので重心を中心として強い回転力で回しやすくなるとともに、１０ｃｍ以下であれば回転終了時に手に納めやすくなる。また、電子機器１を回転させて手のひら上に戻すには、電子機器１に一定以上の遠心力を発生させる必要があり、そのためには、二つ折りしたストラップ２０の長さがある程度の長さが必要となる（遠心力を計算する際の半径に相当）。なお、回転速度が変わらなければ、電子機器本体１０までの距離が長ければ長いほど遠心力は大きくなるが、その分、電子機器本体１０から手のひらまでの距離が大きくなってしまい、手のひら上に電子機器１をスムーズに戻すことが難しくなるため、ストラップ２０の長さは略６〜１０ｃｍであることが望ましい。
【００３２】
また、突出部３０の高さが低い場合、ストラップ２０の長さを略８〜１２ｃｍにすることが望ましい。電子機器１に一定以上の遠心力を発生させる必要があり、開口面２１に挿入した指と電子機器本体１０との間で所定の距離を維持できる。
【００３３】
以上により、本実施形態の電子機器１は、厚み方向に突出した突出部３０を裏面１３に備える電子機器本体１０と、突出部３０上の位置であって、当該電子機器本体１０の重心の近傍位置に取り付けられた帯形状のストラップ２０と、を備え、突出部３０は電子機器本体１０の長手方向に沿って延びるように裏面１３に形成され、ストラップ２０は、電子機器本体１０の長手方向かつ裏面１３に略直角な方向に画定される閉じた開口面２１を画定し、当該開口面２１は、操作者の複数の指が挿入可能な面積を有する。
【００３４】
これにより、ストラップ２０の開口面２１内に親指以外の複数の指が挿入可能な空間が画定されているため、指と手の平とにより電子機器１との把持が可能となると共に手の中で安定し、親指でタッチパネルなどの表示部１２の操作を容易に行うことが可能となる。また、突出部３０は、電子機器本体１０の長手方向に沿って延びるように裏面に形成されているため、操作者が手のひら上で電子機器１を保持した際、指先を突出部に引っ掛けることで、親指を自由に動かしやすくなり、電子機器１が大型化しても片手で表示部１２を操作しやすくなる。
【００３５】
そして、ストラップ２０は、電子機器本体１０の重心近傍に取り付けられているため、ストラップ２０に指を入れながら荷物１００を運んでも電子機器１が安定すると共に取付位置を回転中心として電子機器１が回しやすくなる。特に、開口面２１が裏面１３に略直角な方向に形成されていることで、指を幅方向から入れて電子機器１を回すことができ、電子機器１の長手方向を上下として回すことで遠心力が簡単に生まれ、回転操作が容易となる。
【００３６】
以上により、本実施形態の電子機器１は、二つ折りにした前記ストラップは略６〜１０ｃｍの長さを有する。これにより、６ｃｍ以上であれば、遠心力が強くなるので重心を中心として強い回転力で回しやすくなるとともに、１０ｃｍ以下であれば回転終了時に手に納めやすくなる。
【００３７】
以上により、本実施形態の電子機器１は、電子機器本体１０がバーコードリーダ４０を有し、突出部３０上であって、ストラップ２０の取付位置とバーコードリーダ４０との間の位置において、当該突出部３０の両側面および上面をまたがるように配置されたバーコードリーダ４０のスイッチ４１を備える。これにより、左右どちらの手でもスイッチ４１を操作しやすくなる。
【００３８】
以上により、本実施形態の電子機器１は、突出部３０には電子機器本体１０の側にへこんだ窪み５０が設けられ、前記スイッチ４１が当該窪み５０に設けられる。これにより、スイッチ４１が裏面１３にて程よい高さとなり操作性が向上する。
【００３９】
以上により、本実施形態の電子機器１は、電子機器本体１０と、電子機器本体１０の裏面１３であって、当該電子機器本体１０の重心の近傍位置に取り付けられた帯形状のストラップ２０と、を備え、ストラップ２０は、電子機器本体１０の長手方向かつ裏面１３に略直角な方向に画定される閉じた開口面２１を画定し、当該開口面２１は、操作者の複数の指が挿入可能な面積を有し、二つ折りにしたストラップ２０は略８〜１２ｃｍの長さを有する。
【００４０】
これにより、突出部３０の高さが低くても指と電子機器１の長さが維持できるため遠心力が容易に生じ、電子機器１を楽に回転させることが可能である。
【００４１】
以上、図面を参照して本開示に係る電子機器の実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【産業上の利用可能性】
【００４２】
本開示の電子機器は、荷物を運びながら手から電子機器を外さず、バーコード読む作業ができることを望む分野に有用である。
【符号の説明】
【００４３】
１：電子機器
１０：電子機器本体
１１：筐体
１２：表示部
１３：裏面
２０：ストラップ
２１：開口面
３０：突出部
４０：バーコードリーダ
４１：スイッチ
５０：窪み
１００：荷物
１１０：バーコード
２００：操作者の手
２１０：操作者の指
【図１】
2019144998.tif 000003
【図２】
2019144998.tif 000004
【図３】
2019144998.tif 000005
【図４】
2019144998.tif 000006
【図５】
2019144998.tif 000007
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
厚み方向に突出した突出部を裏面に備える電子機器本体と、
前記突出部上の位置であって、当該電子機器本体の重心の近傍位置に取り付けられ、二つ折りにした帯形状のストラップと、
を備え、
前記突出部は前記電子機器本体の長手方向に沿って延びるように前記裏面に形成され、
前記ストラップは、前記電子機器本体の長手方向かつ前記裏面に略直角な方向に画定される閉じた開口面を有し、
当該開口面は、操作者の複数の指が挿入可能な面積を有する、
電子機器。
【請求項２】
請求項１に記載の電子機器であって、
二つ折りにした前記ストラップは略６〜１０ｃｍの長さを有する、
電子機器。
【請求項３】
請求項１または２に記載の電子機器であって、
前記電子機器本体がバーコードリーダを有し、
前記突出部上であって、前記ストラップの取付位置と前記バーコードリーダとの間の位置において、当該突出部の両側面および上面をまたがるように配置された前記バーコードリーダのスイッチを備える、電子機器。
【請求項４】
請求項３に記載の電子機器であって、
前記突出部には前記電子機器本体の側にへこんだ窪みが設けられ、
前記スイッチが当該窪みに設けられる、
電子機器。
【請求項５】
電子機器本体と、
前記電子機器本体の裏面であって、当該電子機器本体の重心の近傍位置に取り付けられ、二つ折りにした帯形状のストラップと、
を備え、
前記ストラップは、前記電子機器本体の長手方向かつ前記裏面に略直角な方向に画定される閉じた開口面を有し、
当該開口面は、操作者の複数の指が挿入可能な面積を有し、
二つ折りにした前記ストラップは略８〜１２ｃｍの長さを有する、
電子機器。
【手続補正２】
【補正対象書類名】明細書
【補正対象項目名】０００７
【補正方法】変更
【補正の内容】
【０００７】
本開示の電子機器は、厚み方向に突出した突出部を裏面に備える電子機器本体と、前記突出部上の位置であって、当該電子機器本体の重心の近傍位置に取り付けられ、二つ折りにした帯形状のストラップと、を備え、前記突出部は前記電子機器本体の長手方向に沿って延びるように前記裏面に形成され、前記ストラップは、前記電子機器本体の長手方向かつ前記裏面に略直角な方向に画定される閉じた開口面を有し、当該開口面は、操作者の複数の指が挿入可能な面積を有する。